(57)【要約】【課題】操作性の低下を招くことなく読取口内に設けたアンテナに関して必要な電波放射距離を確保し得る構成を提供する。【解決手段】アンテナ部５０は、ループアンテナ６０と当該ループアンテナ６０を保持するホルダ７０とを有し、ホルダ７０は、読取口１３内であって撮像部として機能する受光センサ２３による撮像範囲Ｓ外となるように配置されている。そして、ループアンテナ６０は、読取口１３を介して見たとき、第１長辺部６１が撮像範囲Ｓ外であって当該撮像範囲Ｓの下縁Ｓａに沿い、第２長辺部６２が筐体１１の内面１１ｃに沿うように、ホルダ７０に保持される。【選択図】図７
2020008947.tif 000002
【特許請求の範囲】
【請求項１】
情報コードを光学的に読み取る光学的情報読取装置であって、
読取口を介して前記情報コードを撮像する撮像部と、
前記撮像部により撮像された前記情報コードを解読する解読部と、
電波を利用する非接触通信媒体に対して電波を放射するためのアンテナ部と、
前記読取口が形成されて、少なくとも前記撮像部及び前記アンテナ部が収容される筐体と、
を備え、
前記アンテナ部は、ループアンテナと当該ループアンテナを保持するホルダとを有し、
前記ホルダは、前記読取口内であって前記撮像部による撮像範囲外となるように配置され、
前記ループアンテナは、前記読取口を介して見たとき、一方の長辺を構成する第１長辺部が前記撮像部による撮像範囲外であって当該撮像範囲の縁に沿い、他方の長辺を構成する第２長辺部が前記筐体の内面に沿うように、前記ホルダに保持されることを特徴とする光学的情報読取装置。
【請求項２】
前記ループアンテナは、前記第１長辺部が前記ホルダの前記撮像範囲側となる一面に配置され、前記第２長辺部が前記ホルダの前記一面に対して裏面側となる他面に配置されるように、前記ホルダに保持されることを特徴とする請求項１に記載の光学的情報読取装置。
【請求項３】
前記ループアンテナは、フレキシブル基板を利用して構成されることを特徴とする請求項１又は２に記載の光学的情報読取装置。
【請求項４】
前記筐体は、前記読取口が設けられる読取部が把持部に対して折れ曲がるように連結されて構成され、
前記ホルダは、前記撮像部による前記撮像範囲に対して前記把持部側にて前記ループアンテナを保持するように配置されることを特徴とする請求項１〜３のいずれか一項に記載の光学的情報読取装置。
【発明の詳細な説明】
【技術分野】
【０００１】
本発明は、光学的情報読取装置に関するものである。
【背景技術】
【０００２】
近年、スーパーマーケットやドラッグストア等の店舗、特に高価で比較的小さな商品を取り扱う店舗では、商品の盗難を防止するため、無線機能を利用した防犯用の電子タグ（以下、単に、電子タグともいう）による商品販売管理を実施する店舗が増加している。この商品販売管理方法では、会計処理時等に、専用機器を用いて商品に付された電子タグの機能を停止させる処理が行われている。
【０００３】
このように商品等に付された電子タグの機能を停止させる技術として、下記特許文献１に開示される光学的情報読取装置が知られている。この光学的情報読取装置は、バーコードリーダにタグ機能制限用装置が組み付けられて構成されており、商品購入時にバーコードリーダによりバーコードを読み取る際に、タグ機能制限用装置により電子タグを制限状態にしてその機能を停止させるように構成されている。
【先行技術文献】
【特許文献】
【０００４】
【特許文献１】特開２０１４−０９８９６０号公報
【発明の概要】
【発明が解決しようとする課題】
【０００５】
ところで、上述のようにタグ機能制限用装置をリーダ本体に対して後から組み付けるような構成では、読取口が形成される読取部や把持部が大きくなってしまい、操作性を低下させる一因となる場合がある。このような操作性低下を避けるため、タグ機能制限用装置を内蔵するように光学的情報読取装置を構成すると、商品等に付された情報コードの読み取り時にその商品等に付された電子タグに機能制限用のアンテナを近づけるために、そのアンテナを読取口内に配置する必要がある。
【０００６】
しかしながら、機能制限用のアンテナを単に読取口内に配置する構成では、情報コードを撮像する撮像範囲を確保するために、読取口が大きくなってしまい、操作性を低下させる一因となる場合がある。一方、撮像範囲を確保しつつ読取口を小さくすると、アンテナが小さくなってしまい、必要な電波放射距離を確保できなくなる場合がある。
【０００７】
本発明は、上述した課題を解決するためになされたものであり、その目的とするところは、操作性の低下を招くことなく読取口内に設けたアンテナに関して必要な電波放射距離を確保し得る構成を提供することにある。
【課題を解決するための手段】
【０００８】
上記目的を達成するため、特許請求の範囲の請求項１に記載の発明は、
情報コード（Ｃ）を光学的に読み取る光学的情報読取装置（１）であって、
読取口（１３）を介して前記情報コードを撮像する撮像部（２３）と、
前記撮像部により撮像された前記情報コードを解読する解読部（３１）と、
電波を利用する非接触通信媒体（Ｔ）に対して電波を放射するためのアンテナ部（５０）と、
前記読取口が形成されて、少なくとも前記撮像部及び前記アンテナ部が収容される筐体（１１）と、
を備え、
前記アンテナ部は、ループアンテナ（６０）と当該ループアンテナを保持するホルダ（７０）とを有し、
前記ホルダは、前記読取口内であって前記撮像部による撮像範囲（Ｓ）外となるように配置され、
前記ループアンテナは、前記読取口を介して見たとき、一方の長辺を構成する第１長辺部（６１）が前記撮像部による撮像範囲外であって当該撮像範囲の縁（Ｓａ）に沿い、他方の長辺を構成する第２長辺部（６２）が前記筐体の内面（１１ｃ）に沿うように、前記ホルダに保持されることを特徴とする。
なお、上記各括弧内の符号は、後述する実施形態に記載の具体的手段との対応関係を示すものである。
【発明の効果】
【０００９】
請求項１の発明では、アンテナ部は、ループアンテナと当該ループアンテナを保持するホルダとを有し、ホルダは、読取口内であって撮像部による撮像範囲外となるように配置されている。そして、ループアンテナは、読取口を介して見たとき、第１長辺部が撮像部による撮像範囲外であって当該撮像範囲の縁に沿い、第２長辺部が筐体の内面に沿うように、ホルダに保持される。
【００１０】
これにより、読取口内のうち撮像部による撮像範囲外となる領域を有効に活用してループアンテナが配置されるため、小さな読取口であってもループアンテナを大きく形成することができる。したがって、読取口を大きくする必要もないため操作性の低下を招くことなく、読取口内に設けたアンテナに関して必要な電波放射距離を容易に確保することができる。
【００１１】
請求項２の発明では、ループアンテナは、第１長辺部がホルダの撮像範囲側となる一面に配置され、第２長辺部がホルダの一面に対して裏面側となる他面に配置されるように、ホルダに保持される。これにより、ホルダにてループアンテナを保持する構成であっても、例えば、第１長辺部及び第２長辺部をホルダの同じ一面に配置する場合と比較して、第１長辺部と第２長辺部とをさらにホルダの厚みに応じて離して配置することができる。このように、ホルダを利用して立体ループ形状のアンテナを構成できるので、小さな読取口であってもループアンテナをさらに大きく形成することができる。
【００１２】
請求項３の発明では、ループアンテナは、フレキシブル基板を利用して構成されるため、例えば、第１長辺部をホルダの一面に配置するとともにその裏側の他面に第２長辺部を配置するような配置構成であっても、ループアンテナをホルダに対して容易に組み付けることができる。特に、ループアンテナのアンテナ開口面に角度を持たせやすいことから、電波放射方向を調整しやすいので、筐体の形状や利用環境等に応じて読取方向と電波放射方向との関係を容易に調整することができる。
【００１３】
請求項４の発明では、筐体は、読取口が設けられる読取部が把持部に対して折れ曲がるように連結されて構成され、ホルダは、撮像部による撮像範囲に対して把持部側にてループアンテナを保持するように配置される。これにより、筐体の把持部を把持した使用者が読取部の読取口を情報コードや電子タグに向ける際、通常、把持部に対して読取部が上側となることから、撮像範囲の下側にループアンテナが位置するため、感覚的にループアンテナを電子タグに向けやすくすることができる。
【図面の簡単な説明】
【００１４】
【図１】本発明の第１実施形態に係る光学的情報読取装置の構成概要を示す断面図である。
【図２】図１の光学的情報読取装置の電気的構成を概略的に示すブロック図である。
【図３】アンテナ部の概略構成を立体的に説明するための斜視図である。
【図４】図３のアンテナ部の正面図である。
【図５】図４のアンテナ部のＸ−Ｘ断面を示す断面図である。
【図６】図５のＡ部を拡大して示す拡大断面図である。
【図７】読取口側から見たループアンテナと撮像範囲との位置関係をホルダ等を除いた状態にて示す説明図である。
【発明を実施するための形態】
【００１５】
［第１実施形態］
以下、本発明の第１実施形態に係る光学的情報読取装置について、図面を参照して説明する。
本実施形態に係る光学的情報読取装置１は、一次元コードや二次元コード等の情報コードを光学的に読み取る情報コードリーダとしての機能と、その情報コードが付された物品等に設けられる非接触通信媒体に対して電磁誘導を利用した電波（電磁波）を放射することでその非接触通信媒体を制御する機能とを有するように構成されている。本実施形態では、非接触通信媒体を制御する機能として、情報コードＣとともに商品Ｒに付された防犯用の電子タグＴの無効化が採用されている。
【００１６】
この光学的情報読取装置１は、図１及び図２に示すように、情報コードＣを読み取るスキャナ２とスキャナ２を利用して電子タグＴの無効化に関する制御を行なう制御装置３とがケーブル４を介して接続されるように構成されている。光学的情報読取装置１は、上位端末となるＰＯＳレジスタＰにより制御されて、スキャナ２にて読み取った情報コードＣの読取結果等をケーブル４を介してＰＯＳレジスタＰに出力するように構成されている。
【００１７】
スキャナ２は、上ケース及び下ケースが組み付けられて構成される筐体１１によって外郭が形成され、この筐体１１内に各種電気部品等が回路基板２０等に実装されて収容されている。筐体１１を構成する上ケース及び下ケースは、ＡＢＳ樹脂等の合成樹脂からなる成形部材で、筐体１１の一端側の端面１２には読取口１３が形成され、また他端側には光学用ケーブル４ａ及び電子タグ用ケーブル４ｂを１本のケーブル４としてまとめて引き出すためのケーブル取付部１４が形成されている。このケーブル取付部１４は、筐体１１の上ケース及び下ケースによって挟み込まれることで光学用ケーブル４ａ及び電子タグ用ケーブル４ｂを保持し、上ケース及び下ケースによる挟み込みが解除されることで光学用ケーブル４ａ及び電子タグ用ケーブル４ｂの保持が解除されるように構成されている。このように、筐体１１から取り出されるケーブルを１本にまとめることで取り回しが良くなり、操作性を向上させることができる。また、光学用ケーブル４ａや電子タグ用ケーブル４ｂの交換等も容易に行うことができる。
【００１８】
また、筐体１１は、読取口１３が設けられる読取部１１ａが、使用者により把持される把持部１１ｂに対して、裏面側に大きく前傾して折れ曲がるように首曲がり状に連結されて構成されている。これにより、使用者がスキャナ２の把持部１１ｂを上ケース側から把持した状態で、読取対象物に貼付された情報コードに対して読取口１３を当て易くしている。
【００１９】
次に、光学的情報読取装置１の電気的構成について説明する。
図１及び図２に示すように、光学的情報読取装置１は、主に、照明光源２１、受光センサ２３、結像レンズ２７等の光学系と、メモリ３２、制御部３１等のマイクロコンピュータ（以下「マイコン」という）系とを備えている。
【００２０】
光学系は、スキャナ２の筐体１１内に収容され、投光光学系と受光光学系とに分かれている。投光光学系を構成する照明光源２１は、読取口１３を介して照明光Ｌｆを発光可能な照明手段として機能するもので、例えば、赤色のＬＥＤ２１ａとこのＬＥＤ２１ａの出射側に設けられるレンズ２１ｂとから構成されている。ＬＥＤ２１ａは、鏡面反射を抑制するため、受光センサ２３による結像光軸に対して僅かに傾斜して照明光Ｌｆを照射するように回路基板２０に実装されている。
【００２１】
受光光学系は、受光センサ２３及び結像レンズ２７等によって構成されている。受光センサ２３は、例えば、Ｃ−ＭＯＳやＣＣＤ等の固体撮像素子である受光素子を二次元に配列したエリアセンサとして構成されている。この受光センサ２３は、読取口１３から結像レンズ２７を介して入射する入射光を受光可能に回路基板２０に実装されている。なお、受光センサ２３は、読取口１３を介して情報コードＣを撮像する「撮像部」の一例に相当し得る。
【００２２】
結像レンズ２７は、外部から読取口１３を介して入射する入射光を集光して受光センサ２３の受光面２３ａに像を結像可能な結像光学系として機能するものである。本実施形態では、照明光源２１から照射された照明光Ｌｆが情報コード等にて反射した後、この反射光Ｌｒを結像レンズ２７で集光し、受光センサ２３の受光面２３ａにコード像等を結像させている。
【００２３】
制御部３１は、スキャナ２全体を制御可能なマイコンで、ＣＰＵ、システムバス、入出力インタフェース等からなるもので、メモリ３２とともに情報処理装置を構成し得るもので情報処理機能を有する。この制御部３１は、受光センサ２３を利用して撮像された情報コードの画像データに対して公知のデコード処理を行うことで、情報コードに記録された情報を解読して読み取る解読部として機能する。
【００２４】
また、制御部３１は、内蔵された入出力インタフェースを介して種々の入出力装置と接続可能に構成されており、本実施形態の場合、発光部３３、ブザー３４、バイブレータ３５、通信インタフェース３６等が接続されている。これにより、例えば、発光部３３の点灯、非点灯、ビープ音やアラーム音を発生可能なブザー３４の鳴動のオンオフ、バイブレータ３５の駆動制御、光学用ケーブル４ａを介して外部と通信するための通信インタフェース３６の制御等が可能になっている。
【００２５】
また、光学的情報読取装置１は、上述した電子タグＴの無効化を実現するためのアンテナ部５０を備えている。このアンテナ部５０について、図３〜図７を参照して詳述する。なお、図７では、ループアンテナ６０の形状を説明しやすくするため、便宜上、読取口１３を断面にて示し、ホルダ７０や照明光源２１等の図示を省略している。
【００２６】
図３〜図７に示すように、アンテナ部５０は、ループアンテナ６０が形成されるアンテナ基板５１と、ループアンテナ６０等を保持するホルダ７０とを有するように構成されている。このアンテナ部５０は、図１及び図７に示すように、受光センサ２３による撮像範囲Ｓ外となるように筐体１１内に配置されている。以下、図７におけるループアンテナ６０に対する撮像範囲Ｓ側（図７の上側）を上側、撮像範囲Ｓに対するループアンテナ６０側（図７の下側）を下側とし、図７の紙面に沿い上下方向に直交する方向を左右方向として説明する。
【００２７】
アンテナ基板５１は、ループアンテナ６０によるアンテナ開口面（電波放射方向に直交する面）に角度を持たせやすくし、筐体１１内での引き回し等を容易にするため、フレキシブル基板として構成されている。アンテナ基板５１は、一方の端部にループアンテナ６０が設けられ、他方の端部に電子タグ用ケーブル４ｂを介して制御装置３と接続するためのコネクタ５２が設けられている。
【００２８】
図７に示すように、ループアンテナ６０は、一方の長辺を構成する第１長辺部６１と、他方の長辺を構成する第２長辺部６２と、第１長辺部６１及び第２長辺部６２の両端部にそれぞれ連結される短辺部６３，６４とを備えるように形成されている。
【００２９】
図７からわかるように、ホルダ７０を利用することで、第１長辺部６１は、撮像範囲Ｓの下縁Ｓａに沿い、第２長辺部６２は、その中央部が第１長辺部６１に対して略平行であって、読取口１３を構成する筐体１１の内面１１ｃの下側に沿うように、それぞれ筐体１１内に配置されている。特に、第２長辺部６２は、第１長辺部６１よりも外部側（読取口１３の端面（読取面）側）に位置するように配置されている。
【００３０】
また、短辺部６３は、略Ｕ字状に形成されて、反読取面側（内部側）となる第１長辺部６１の端部と読取面側となる第２長辺部６２の端部とを連結して撮像範囲Ｓの側縁に沿って吊り上るように、筐体１１内に配置されている。特に、第１長辺部６１の端部に連なる短辺部６３の連結部６３ａは、第１長辺部６１に向けて上側に傾斜するように形成されている。また、短辺部６４は、略Ｕ字状に形成されて、短辺部６３が連結する端部と異なる側の第１長辺部６１の端部と第２長辺部６２の端部とを連結して撮像範囲Ｓの側縁に沿って吊り上るように、筐体１１内に配置されている。特に、第１長辺部６１の端部に連なる短辺部６４の連結部６４ａは、連結部６３ａと同様に、第１長辺部６１に向けて上側に傾斜するように形成されている。
【００３１】
ホルダ７０は、筐体１１内に設けられる係合部（図示略）を利用して、受光センサ２３による撮像範囲Ｓよりも下側であって読取口１３に対して所定の位置関係となるように、筐体１１内に組み付けられている。すなわち、ホルダ７０は、図１及び図７からわかるように、筐体１１内において撮像範囲Ｓに対して把持部１１ｂ側にてループアンテナ６０を保持するように配置される。このホルダ７０は、ループアンテナ６０を保持するための第１保持部７１と、アンテナ基板５１の一部を保持するための第２保持部７２とを備えている。
【００３２】
第１保持部７１は、左右方向にて読取口１３を構成する筐体１１の内面１１ｃに対して撮像範囲Ｓを除いて接触するか僅かな隙間を介して対向するように、幅広に形成されている。この第１保持部７１の左右両端面には、短辺部６３及び短辺部６４が係合する係合部７３がそれぞれ形成されている。
【００３３】
また、第１保持部７１は、中央付近に略矩形状の開口７４が上側と下側とを連通するように形成されており、この開口７４の読取面側に連なる上側の平面（以下、上側保持面８１ともいう）は、撮像範囲Ｓの下縁Ｓａに沿うように形成されている。この上側保持面８１の左右両端には、短辺部６３の連結部６３ａ及び短辺部６４の連結部６４ａが嵌まり込むスリット（図示略）が開口７４に連なるように形成されている。
【００３４】
また、上側保持面８１の読取面側には、筐体１１内への組み付け時に上側保持面８１と読取口１３との間に介在する突出部７５が設けられている。この突出部７５には、図６に示すように、上側保持面８１に対して後述するように第１長辺部６１を貼り合せる際の位置決め用の段部７６が形成されている。
【００３５】
また、第１保持部７１は、読取口１３に近い下側の面（以下、下側保持面８２ともいう）にて、筐体１１の内面１１ｃの下側に沿うように湾曲して形成されている。この下側保持面８２の第２保持部７２側（反読取面側）には、下側保持面８２に対して後述するように第２長辺部６２を貼り合せる際の位置決め用の段部７７が形成されている。
【００３６】
次に、ホルダ７０に対するループアンテナ６０等の組み付けについて説明する。
上述のように形成されるホルダ７０に対して、下側から開口７４を挿通させた第１長辺部６１が段部７６を基準として上側保持面８１に貼り合わされるように、短辺部６３の連結部６３ａ及び短辺部６４の連結部６４ａを上記スリットに嵌め込む。そして、係合部７３に短辺部６３及び短辺部６４をそれぞれ係合することで、第１保持部７１の下側では、段部７７を乗り越えた第２長辺部６２が下側保持面８２に貼り合わされる。これにより、図７等に示すように、ループアンテナ６０が、第１長辺部６１にてホルダ７０の撮像範囲Ｓ側となる上側保持面８１（一面）に配置され、第２長辺部６２にて上側保持面８１に対して裏面側となる下側保持面８２（他面）に配置されるようにホルダ７０に保持されて、アンテナ部５０が完成する。
【００３７】
この組み付け状態では、第１長辺部６１を含めた平面に第２長辺部６２が交わることなく、第１長辺部６１と第２長辺部６２とが段部７６及び段部７７にて互いに離されるようにホルダ７０の上側と下側とに配置される。このため、受光センサ２３による撮像範囲Ｓの邪魔になることなく、かつ、ループアンテナ６０を大きく形成することができる。
【００３８】
このように構成されたアンテナ部５０が採用される光学的情報読取装置１では、所定の操作に応じて制御部３１による読取処理が開始されると、照明光源２１により照明光Ｌｆが読取口１３を介して照射され、読取口１３を向けた情報コードＣが受光センサ２３を用いて撮像されて光学的に読み取り可能な状態になる。その際、読取口１３内に配置されたアンテナ部５０は、受光センサ２３による撮像範囲Ｓ外となるように筐体１１内に配置されているため、アンテナ部５０が受光センサ２３による撮像範囲Ｓ内にて写り込むことはない。
【００３９】
そして、制御装置３は、ケーブル４を介してスキャナ２から取得する情報に応じて、上記読取処理が実行される際の一定時間、ループアンテナ６０から電波が放射されるようにアンテナ部５０を制御する。例えば、情報コードＣの読取処理の開始と同時にループアンテナ６０からの電波の放射が開始される。これにより、商品等に付された情報コードＣを読み取る際にその商品等に防犯用の電子タグＴが付されていると、ループアンテナ６０による電波出力エリア内に電子タグＴが入ることで、その電子タグＴが無効化される。
【００４０】
この電子タグＴの無効化（非接触通信媒体の制御）が成功すると、制御部３１による制御に応じて報知処理がなされ、例えば、発光部３３の点灯やブザー３４の鳴動等を利用することで、上記電子タグＴの無効化が成功したことを報知することができる。ここで、電子タグＴの無効化の成否については、例えば、その電子タグＴの無効化するための共振周波数周辺で変化させるように電波を照射し、共振周波数近傍での電子タグＴからの応答が無効化前後で変化することを利用して行ってもよい。
【００４１】
以上説明したように、本実施形態に係る光学的情報読取装置１では、アンテナ部５０は、ループアンテナ６０と当該ループアンテナ６０を保持するホルダ７０とを有し、ホルダ７０は、読取口１３内であって撮像部として機能する受光センサ２３による撮像範囲Ｓ外となるように配置されている。そして、ループアンテナ６０は、読取口１３を介して見たとき、第１長辺部６１が撮像範囲Ｓ外であって当該撮像範囲Ｓの下縁Ｓａに沿い、第２長辺部６２が筐体１１の内面１１ｃに沿うように、ホルダ７０に保持される。
【００４２】
これにより、読取口１３内のうち撮像範囲Ｓ外となる領域を有効に活用してループアンテナ６０が配置されるため、小さな読取口１３であってもループアンテナ６０を大きく形成することができる。したがって、読取口を大きくする必要もないために操作性の低下を招くことなく、読取口内に設けたアンテナに関して必要な電波放射距離を容易に確保することができる。
【００４３】
特に、ループアンテナ６０は、第１長辺部６１がホルダ７０の撮像範囲Ｓ側となる上側保持面８１に配置され、第２長辺部６２が上側保持面８１に対して裏面側となる下側保持面８２に配置されるように、ホルダ７０に保持される。これにより、ホルダ７０にてループアンテナ６０を保持する構成であっても、例えば、第１長辺部６１及び第２長辺部６２をホルダ７０の同じ一面に配置する場合と比較して、第１長辺部６１と第２長辺部６２とをさらにホルダ７０における第１保持部７１の厚みに応じて離して配置することができる。このように、ホルダ７０を利用して立体ループ形状のアンテナを構成できるので、小さな読取口１３であってもループアンテナ６０をさらに大きく形成することができる。
【００４４】
また、ループアンテナ６０は、フレキシブル基板を利用して構成されるため、本実施形態のように、第１長辺部６１をホルダ７０の上側保持面８１に配置するとともにその裏側の下側保持面８２に第２長辺部６２を配置するような配置構成であっても、ループアンテナ６０をホルダ７０に対して容易に組み付けることができる。特に、ループアンテナのアンテナ開口面に角度を持たせやすいことから、電波放射方向を調整しやすいので、筐体１１の形状や利用環境等に応じて読取方向と電波放射方向との関係を容易に調整することができる。
【００４５】
また、筐体１１は、読取口１３が設けられる読取部１１ａが把持部１１ｂに対して折れ曲がるように連結されて構成され、ホルダ７０は、撮像範囲Ｓに対して把持部１１ｂ側にてループアンテナ６０を保持するように配置されている。これにより、筐体１１の把持部１１ｂを把持した使用者が読取部１１ａの読取口１３を情報コードＣや電子タグＴに向ける際、通常、把持部１１ｂに対して読取部１１ａが上側となることから、撮像範囲Ｓの下側にループアンテナ６０が位置するため、感覚的にループアンテナ６０を電子タグＴに向けやすくすることができる。
【００４６】
なお、本発明は上記実施形態等に限定されるものではなく、例えば、以下のように具体化してもよい。
（１）本発明は、受光センサ２３及びアンテナ部５０等が組み込まれるスキャナ２の筐体１１と、アンテナ部５０を制御する制御装置３の筐体とが別体として構成される光学的情報読取装置に適用されることに限らず、例えば、スキャナ２の機能と制御装置３の機能とを兼備して電力供給用の電池を備えたハンディターミナルのような携帯型の光学的情報読取装置等に適用されてもよい。
【００４７】
（２）ループアンテナ６０は、第１長辺部６１が上側保持面８１に配置されて第２長辺部６２が下側保持面８２に配置されるようにホルダ７０に保持されることに限らず、例えば、第１長辺部６１と第２長辺部６２とがホルダの同じ面（下側の面又は上側の面等）にて保持されてもよい。また、アンテナ基板５１は、ループアンテナ６０がプレス加工等による金属製アンテナとして形成されてもよい。
【符号の説明】
【００４８】
１…光学的情報読取装置
２…スキャナ
３…制御装置
１１…筐体
１１ａ…読取部
１１ｂ…把持部
１１ｃ…内面
１３…読取口
２３…受光センサ（撮像部）
３１…制御部（解読部）
５０…アンテナ部
６０…ループアンテナ
６１…第１長辺部
６２…第２長辺部
７０…ホルダ
８１…上側保持面
８２…下側保持面
Ｃ…情報コード
Ｓ…撮像範囲
Ｔ…電子タグ（非接触通信媒体）
【図１】
2020008947.tif 000003
【図２】
2020008947.tif 000004
【図３】
2020008947.tif 000005
【図４】
2020008947.tif 000006
【図５】
2020008947.tif 000007
【図６】
2020008947.tif 000008
【図７】
2020008947.tif 000009